(57)【要約】【課題】本発明は、電子ペーパーに格納された複数ページの画像を原稿固定読み方式で読み取る場合でも、ページ毎に電子ペーパーをセットし直す必要がなく、自動で複数ページの画像を読み取ることができる画像読取装置を提供する。【解決手段】画像読取装置１は、原稿台ガラス２０５下に電子ペーパー検出部２０２とページ切替部２０３を備える。電子ペーパーから固定読取モードで複数ページの画像を読み取る際に、ページ切替部２０３によりＮページ目の画像を電子ペーパーに表示させ、スキャナユニット２０６が走査して画像の読み取りを行う。その後、ページ切替部２０３によりＮ＋１ページの画像を電子ペーパーに表示させ、スキャナユニット２０６が走査して画像の読み取りを行い、これらをページ数分繰り返す。【選択図】図６
2010251834.tif 000002
【特許請求の範囲】
【請求項１】
原稿台に載置された原稿を、読取手段を前記原稿の一端から他端まで移動して走査することにより、原稿の画像を読み取る走査手段を備える画像読取装置において、
前記原稿台に載置された電子ペーパーから画像情報を取得するための通信手段と、
前記画像情報を表示して画像の読み取りを行う画像ファイルを選択させるための選択手段と、
前記通信手段により通信を行って、前記原稿台に載置された電子ペーパーの画像表示を制御する表示制御手段とを備え、
前記走査手段は、前記選択手段により選択された画像ファイルの画像を、前記表示制御手段によりページ毎に前記電子ペーパーに表示させて画像を読み取ることを特徴とする画像読取装置。
【請求項２】
前記原稿台に載置された原稿が電子ペーパーか否かを判別する判別手段と、
前記判別手段により電子ペーパーと判別されたものから画像情報として前記電子ペーパーに格納された画像ファイルのファイル名、ページ数、及びサイズに関する情報を取得する取得手段とを更に備えることを特徴とする請求項１記載の画像読取装置。
【請求項３】
前記画像ファイルのページ数をカウントするカウント手段と、
前記カウント手段によりカウントされたページ数が奇数か否かを判定する判定手段とをさらに備え、
前記走査手段は、前記判定手段により奇数と判定されたときは、前記読取手段を前記電子ペーパーの先端から後端まで移動して走査することにより画像を読み取り、前記判定手段により奇数でないと判定されたときは、前記読取手段を前記電子ペーパーの後端から先端まで移動して走査することにより画像を読み取ることを特徴とする請求項１記載の画像読取装置。
【請求項４】
前記画像ファイルの何ページ目が前記電子ペーパーに表示されるかを判定する判定手段をさらに備え、
前記表示制御手段は、前記判定手段により奇数ページ目が表示されると判定されたときは、前記電子ペーパーに奇数ページ目の画像を通常表示するように制御し、前記判定手段により奇数ページ目でないと判定されたときは、前記電子ペーパーに偶数ページ目の画像を鏡像表示するように制御することを特徴とする請求項３記載の画像読取装置。
【請求項５】
前記走査手段は、前記判定手段により奇数ページ目が表示されると判定されたときは、前記読取手段を前記電子ペーパーの先端から後端まで移動して走査することにより画像を読み取り、前記判定手段により奇数ページ目でないと判定されたときは、前記読取手段を前記電子ペーパーの後端から先端まで移動して走査することにより画像を読み取ることを特徴とする請求項４記載の画像読取装置。
【請求項６】
原稿台に載置された原稿を、読取手段を前記原稿の一端から他端まで移動して走査することにより、原稿の画像を読み取る走査手段を備える画像読取装置の画像読取方法において、
前記原稿台に載置された電子ペーパーから画像情報を取得する通信工程と、
前記画像情報を表示して画像の読み取りを行う画像ファイルを選択させる選択工程と、
前記通信工程にて通信を行って、前記原稿台に載置された電子ペーパーの画像表示を制御する表示制御工程と、
前記選択工程にて選択された画像ファイルの画像を、前記表示制御工程にてページ毎に前記電子ペーパーに表示させて画像を読み取る読取工程とを備えることを特徴とする画像読取方法。
【請求項７】
原稿台に載置された原稿を、読取手段を前記原稿の一端から他端まで移動して走査することにより、原稿の画像を読み取る走査手段を備える画像読取装置の画像読取方法を画像読取装置に実行させるプログラムにおいて、
前記原稿台に載置された電子ペーパーから画像情報を取得する通信ステップと、
前記画像情報を表示して画像の読み取りを行う画像ファイルを選択させる選択ステップと、
前記通信ステップにて通信を行って、前記原稿台に載置された電子ペーパーの画像表示を制御する表示制御ステップと、
前記選択ステップにて選択された画像ファイルの画像を、前記表示制御ステップにてページ毎に前記電子ペーパーに表示させて画像を読み取る読取ステップとを備えることを特徴とするプログラム。
【発明の詳細な説明】
【技術分野】
【０００１】
本発明は、画像読取装置及び方法、並びにプログラムに関し、特に、紙媒体及び電子ペーパーから画像を読み取ることが可能な画像読取装置及び方法、並びにプログラムに関する。
【背景技術】
【０００２】
スキャナ装置等の画像読取装置には、原稿搬送装置（ＡＤＦ）により原稿を搬送しつつ、固定された光学系により画像を読み取る原稿流し読み方式が採用されているものがある。また、画像読取装置には、原稿台ガラス上に１枚ずつ原稿をセットして光学系を走査することにより画像を読み取る原稿固定読み方式が採用されているものがある。
【０００３】
ところで、紙媒体とディスプレイの長所を併せ持つ「電子ペーパー」の開発が進められている。電子ペーパーの利点は、紙の消費を押さえ、森林の保全や焼却によるＣＯ２の排出抑制など、環境負荷を軽減できる点にある。このような背景の中、ＡＤＦにより紙原稿や電子ペーパーを読取位置まで搬送し、紙原稿上の画像や電子ペーパーに表示された画像を読み取ることが可能な画像読取装置が提案されている（例えば、特許文献１参照）。
【先行技術文献】
【特許文献】
【０００４】
【特許文献１】特開２００８−１４１５９０号公報
【発明の概要】
【発明が解決しようとする課題】
【０００５】
従来の画像読取装置では、ＡＤＦを利用した原稿流し読み方式により電子ペーパーに表示された画像を読み取る技術について提案されている。しかしながら、原稿固定読み方式により電子ペーパーに表示された画像を光学的に読み取る技術に関してはまだ検討されていない。
【０００６】
本発明は、電子ペーパーに格納された複数ページの画像を原稿固定読み方式で読み取る場合でも、ページ毎に電子ペーパーをセットし直す必要がなく、自動で複数ページの画像を読み取ることができる画像読取装置を提供することを目的とする。
【課題を解決するための手段】
【０００７】
上記目的を達成するために、請求項１記載の画像読取装置は、原稿台ガラス上に載置された原稿を、読取手段を前記原稿の一端から他端まで移動して走査することにより、原稿の画像を読み取る走査手段を備える画像読取装置において、前記原稿台ガラス上に載置された電子ペーパーから画像情報を取得するための通信手段と、前記画像情報を表示して画像の読み取りを行う画像ファイルを選択させるための選択手段と、前記通信手段により通信を行って、前記原稿台ガラス上に載置された電子ペーパーの画像表示を制御する表示制御手段とを備え、前記走査手段は、前記選択手段により選択された画像ファイルの画像を、前記表示制御手段によりページ毎に前記電子ペーパーに表示させて画像を読み取ることを特徴とする。
【発明の効果】
【０００８】
本発明によれば、電子ペーパーに格納された複数ページにわたる画像を原稿固定読み方式で読み取る場合であっても、ページ毎に電子ペーパーをセットし直す必要がなく、自動で複数ページの画像を読み取ることができる。
【図面の簡単な説明】
【０００９】
【図１】本発明の第１の実施形態に係る画像読取装置の概略構成を示す図である。
【図２】図１における画像読取装置の制御部の概略構成を示すブロック図である。
【図３】図２におけるイメージリーダ制御部の概略構成を示すブロック図である。
【図４】画像読取装置により実行される電子ペーパー判別処理の一例を示すフローチャートである。
【図５】操作部に表示される画像ファイルの選択画面の一例を示す図である。
【図６】図４のステップＳ１０６における電子ペーパーの画像読取処理の詳細を示すフローチャートである。
【図７】図６の処理における原稿台ガラス上の電子ペーパーに対する画像読取方法を説明するための概略図である。
【図８】本発明の第２の実施形態に係る画像読取装置で実行される電子ペーパーの画像読取処理の詳細を示すフローチャートである。
【図９】図８の処理における原稿台ガラス上の電子ペーパーに対する画像読取方法を説明するための概略図である。
【図１０】本発明の第３の実施形態に係る画像読取装置で実行される電子ペーパーの画像読取処理の詳細を示すフローチャートである。
【図１１】図１０の処理における原稿台ガラス上の電子ペーパーに対する画像読取方法を説明するための概略図であり、（ａ）は奇数ページの画像を読み取る場合、（ｂ）は偶数ページの画像を読み取る場合を示す。
【発明を実施するための形態】
【００１０】
以下、本発明の実施の形態を図面を参照して詳細に説明する。
【００１１】
［第１の実施形態］
図１は、本発明の第１の実施形態に係る画像読取装置の概略構成を示す図である。
【００１２】
図示の画像読取装置１は、原稿搬送装置（ＡＤＦ）１００と、イメージリーダ２００とを備える。ＡＤＦ１００は、原稿トレイ１０２上にセットされた複数ページにわたる原稿を先頭頁から順に１枚ずつ給紙し、湾曲したパスを介して原稿台ガラス上へと搬送する。イメージリーダ２００は、原稿台ガラス上の原稿から画像情報を光学的に読み取り、光電変換して画像データとして入力する。ＡＤＦ１００はイメージリーダ２００に対して開閉可能に設置されている。
【００１３】
イメージリーダ２００は、原稿台ガラス２０５、図示しないランプとミラーを有するスキャナユニット２０６、レンズ２０７、イメージセンサ２０８、及び制御部２０９を備える。ＡＤＦ１００を使用しないで原稿の画像読取を行う場合は、ＡＤＦ１００を開き、原稿台ガラス２０５上に原稿をセットしてスキャナユニット２０６の走査により原稿の画像を読み取る。
【００１４】
ＡＤＦ１００内には、Ｓ１〜Ｓ６、ＶＲ１等の各種センサが配置されている。Ｓ１，Ｓ２は原稿トレイ１０２上に載置された原稿の縦方向（搬送方向）の長さを検知するラージサイズ検知センサ、スモールサイズ検知センサであり、原稿トレイ１０２内に配置されている。原稿幅ガイド１０７内には、図示しない幅検知ボリュームＶＲ１及び幅検知センサＳ３が配置されている。
【００１５】
原稿を１枚ずつ分離する分離ユニット１０３と搬送ローラ１０４との間の搬送路上には、原稿の先端及び後端を検知することにより分離給送の原稿を検知すると同時に原稿長さを計測するサイズセンサＳ４が配置されている。レジストローラ１０６の近傍には、原稿の先端を検知するリードセンサＳ５が配置されている。排紙ローラ１０９の近傍には、排紙センサＳ６が配置されている。また、図示していないが、原稿トレイ１０２上に原稿がセットされているかを判別する原稿セットセンサＳ７も配置されている。
【００１６】
イメージリーダ２００内には、ＡＤＦ１００の開閉角度を検知する開閉検知センサＳ８，Ｓ９が配置されている。この開閉検知センサＳ８，Ｓ９と、図示しないサイズセンサ及び露光動作によって原稿台ガラス２０５上に置かれた原稿のサイズを特定する。
【００１７】
ＡＤＦ１００は、原稿トレイ１０２の下部で分離ユニット１０３の近傍に、原稿トレイ１０２上に載置された電子ペーパーを検出するための電子ペーパー検出部１０１を備える。
【００１８】
イメージリーダ２００は、原稿台ガラス２０５の端部に、原稿台ガラス２０５上に載置された電子ペーパーを検出するための電子ペーパー検出部２０２を備える。また、イメージリーダ２００は、原稿台ガラス２０５の端部に、ページ切替部２０３を備える。ページ切替部２０３は、電子ペーパーと通信を行って、電子ペーパーに格納された画像ファイルの画像をページ毎に切り替えて表面（又は裏面）に表示させる機能を有する（表示制御手段）。
【００１９】
電子ペーパーは、図示していないが、例えば、ポリマー・フィルムを用いた液晶ディスプレイ（ＰＦＬＣＤ）であって、任意の形状に変形することが可能なものである。また、電子ペーパーには無線通信タグであるＲＦＩＤを搭載されている。ＡＤＦ１００は、紙媒体と同様にして、電子ペーパーを搬送することが可能である。
【００２０】
画像読取装置１では、表面または裏面のいずれか一方に画像情報が記録された片面原稿を読み取る方法として、原稿流し読み方式（流し読取モード）と原稿固定読取方式（固定読取モード）がある。原稿流し読み方式では、原稿を所定の読取速度で読取位置Ｒ１へ搬送し、スキャナユニット２０６を読取位置Ｒ１で固定したまま原稿の読み取りを行い、読み取った原稿を排紙トレイ２３０に排出する。原稿固定読取方式では、原稿台ガラス２０５の上で原稿を停止させ、スキャナユニット２０６を走査して原稿の読み取りを行う。
【００２１】
具体的には、原稿トレイ１０２上に原稿が積載され、不図示の操作部でスタートキーが押下されると、図示しない繰り出しローラが回転して原稿束の最上紙を分離ユニット１０３へ引き込む。分離ユニット１０３に引き込まれた原稿は、一枚ずつ分離され、搬送ローラ１０４，１０５へと搬送される。レジストローラ１０６は、原稿の先端が到達したときには回転が停止しており、搬送ローラ１０４，１０５による搬送でループが形成されて原稿の斜行補正が行われた後に、回転を開始して原稿を読取部へ搬送する。
【００２２】
読取部では、レジストローラ１０６と読取ベルト１０８によって原稿を読取位置Ｒ１へ所定の速度で搬送していく。原稿の先端が読取位置Ｒ１に到達すると、読取位置Ｒ１の下に固定されたスキャナユニット２０６で露光動作が行われて、原稿を搬送しながら読取動作を行う。この読取方法が流し読取モードである。
【００２３】
一方、原稿の後端が読取位置Ｒ１に到達したときに原稿を停止させ、スキャナユニット２０６が原稿の一端から他端まで移動して走査することによって、画像読取を行うことが可能である。この読取方法が固定読取モードである。
【００２４】
原稿の読み取りが終了すると、読取ベルト１０８で排紙ローラ１０９へ搬送され、排紙ローラ１０９で排紙トレイ２３０へ排出する。
【００２５】
図２は、図１における画像読取装置の制御部２０９の概略構成を示すブロック図である。
【００２６】
制御部２０９は、画像読取装置全体を制御するもので、ＣＰＵ回路部４００を中心に構成されている。ＣＰＵ回路部４００には、ＣＰＵ４０１、ＲＯＭ４０２、ＲＡＭ４０３などが設けられている。ＲＯＭ４０２は、ＣＰＵ４０１により実行されるプログラムを格納する。ＲＡＭ４０３は、ＣＰＵ４０１が使用する制御データを一時的に保持したり、制御に伴う演算の作業領域として用いられる。
【００２７】
ＣＰＵ回路部４００は、イメージリーダ制御部２０１、画像信号制御部４０５、及びタッチパネル式の表示部やキー操作部等を備える操作部８００を制御する。イメージリーダ制御部２０１は、ＡＤＦ１００及びイメージリーダ２００を制御する。外部Ｉ／Ｆ４０６は、外部の装置（例えば、コンピュータ４０７）と接続するためのインターフェースである。イメージリーダ制御部２０１は、イメージセンサ２０８で読み取られた画像のデータを画像信号制御部４０５に出力する。
【００２８】
図３は、図２におけるイメージリーダ制御部２０１の概略構成を示すブロック図である。
【００２９】
ＣＰＵ回路部２０９は、ＣＰＵ２１０と、ＣＰＵ２１０により実行されるプログラムが格納されたＲＯＭ２１１と、制御データを一時的に保持したり、制御に伴う演算の作業領域として用いられるＲＡＭ２１２とを備える。ＣＰＵ２１０は、イメージリーダ２００及びＡＤＦ１００全体を制御する。
【００３０】
ＣＰＵ回路部２０９は、原稿の分離動作を行う分離モータＭ１を制御する。また、レジストローラ１０６を駆動するレジストモータＭ２を制御する。また、読取ベルト１０８、排紙ローラ１０９を駆動するベルトモータＭ３を制御する。
【００３１】
また、ＣＰＵ回路部２０９は、原稿トレイ１０２上に載置された原稿の長さを検知するためのラージサイズ検知センサＳ１及びスモールサイズ検知センサＳ２を制御する。また、ＣＰＵ回路部２０９は、原稿幅ガイド１０７内に配置された図示しない幅検知ボリュームＶＲ１および幅検知センサＳ３を制御する。また、ＣＰＵ回路部２０９は、原稿の先端及び後端を検知することにより分離給送の原稿を検知すると同時に原稿長さを計測するサイズセンサＳ４、原稿の先端を検知して読取信号を知らせるリードセンサＳ５や排紙センサＳ６を制御する。原稿セットセンサＳ７は、原稿トレイ１０２上に原稿がセットされているかを検出するためのセンサである。
【００３２】
ＣＰＵ回路部２０９は、イメージリーダ２００内に配置されたスキャナユニット２０６を移動走査するためのスキャナモータＭ４、開閉検知センサＳ８，Ｓ９が配置されている。ＣＰＵ回路部２０９は、スキャナユニット２０６内のランプやイメージセンサを制御するスキャナユニット制御部２０４に接続されている。
【００３３】
また、ＣＰＵ回路部２０９は、電子ペーパーを検出するための電子ペーパー検出部１０１，２０２、電子ペーパーのページを切り替えるためのページ切替部２０３に接続し、これらをＣＰＵ２１０により制御する。さらに、ＣＰＵ回路部２０９は、ＣＰＵ＿Ｉ／Ｆ２１３を介してＣＰＵ回路部４００内のＣＰＵ４０１とリアルタイムに通信を行う。
【００３４】
電子ペーパー検出部１０１，２０２には、ＲＦＩＤで電子ペーパーと通信するための不図示のアンテナや発信部、受信部などが設けられており、ＲＦＩＤを使って電子ペーパーを検出することができる。なお、電子ペーパーを検出する手段としては、電子ペーパーに電極が設けられ、ＡＤＦから電力を与える構成であってもよいし、光学センサなどの反射率を検出してもよく、これに限ったものではない。
【００３５】
次に、画像読取装置１において、複数ページにわたる画像ファイルが格納された電子ペーパーから固定読取モードで画像読み取りを行う場合の動作処理について説明する。
【００３６】
図４は、画像読取装置１により実行される電子ペーパー判別処理の一例を示すフローチャートである。本処理は、ＣＰＵ回路部２０９内のＣＰＵ２１０により実行されるものである。
【００３７】
まず、ユーザーは、ＡＤＦ１００を開いて原稿台ガラス２０５上に原稿として電子ペーパーを載置する。ＣＰＵ２１０は、開閉検知センサＳ８，Ｓ９を監視し、開閉検知センサＳ８，Ｓ９がＯＦＦしたか否かを判定する（ステップＳ１０１）。開閉検知センサＳ８，Ｓ９がＯＦＦしたときは、原稿台ガラス２０５上に原稿があると判断してステップＳ１０２に進む。
【００３８】
次に、ステップＳ１０２では、ＣＰＵ２１０は、電子ペーパー検出部２０２から検出信号を受信したか否かを判定する。ＣＰＵ１２２は、検出信号を受信しなかった場合（ステップＳ１０２でＮＯ）、原稿が紙媒体であると判断して操作部８００上の不図示のスタートキーが押下されるまで待機する（ステップＳ１０７）。スタートキーが押下されたときは（ステップＳ１０７でＹＥＳ）、通常（紙媒体）の画像読取処理（ステップＳ１０８）を実行する。
【００３９】
一方、電子ペーパー検出部２０２が電子ペーパーに搭載されたＲＦＩＤタグから信号を受信して、ＣＰＵ２１０が電子ペーパー検出部２０２から検出信号を受信したときは、原稿が電子ペーパーであると判断する（ステップＳ１０２でＹＥＳ）。次に、ステップＳ１０３では、ＣＰＵ２１０は電子ペーパーから各種情報を取得する（ステップＳ１０３）。取得する情報には、電子ペーパーに格納されている画像情報（ファイル情報）、ページ数、サイズ等の原稿に関わる情報が含まれる。
【００４０】
次に、ステップＳ１０４では、ＣＰＵ２１０は、ステップＳ１０３で取得した情報に基づいて、図５に示すような画面５００を操作部８００に表示し、ユーザーに画像読取を行うファイルの選択を促す。図示例では、ファイル名「ａａａ」が選択されている（斜線部）。ユーザーによりファイルが選択されると、不図示の設定画面を表示し、詳細な読取条件の設定を受け付ける。なお、設定画面については読取条件が可能なものであれば、その表示形式や方法は問わない。
【００４１】
画面５００においてファイル選択が終わった場合、ユーザーはＯＫボタン５０１を押下する。一方、処理をキャンセルする場合には、ユーザーはキャンセルボタン５０２を押下する。次に、ＣＰＵ２１０は、操作部８００上で不図示のスタートボタンが押下されたか否かを判定し（ステップＳ１０５）、スタートボタンが押下されたと判断したときは、設定された読取条件に基づいて電子ペーパーの画像読取処理（ステップＳ１０６）を開始する。
【００４２】
なお、画像読取装置１では、ＡＤＦ１００を利用した固定読取モードでの画像読み取りも可能である。この場合、不図示の原稿セットセンサＳ７により原稿トレイ１０２上に原稿が載置されたか否かを判定し、載置されたときは、図４のステップＳ１０２〜Ｓ１０５の処理を行う。原稿トレイ１０２上に載置された原稿か否かを判定するには、電子ペーパー検出部１０１を利用する。ステップＳ１０１〜Ｓ１０５の処理後に不図示のスタートキーが押下された場合、原稿トレイ１０２上の電子ペーパーを原稿台ガラス２０５まで搬送して停止させ、スキャナユニット２０６を走査して電子ペーパーに表示された画像の読み取りを行う。電子ペーパーの表示画像の切り替えは、ページ切替部２０３により行われる。
【００４３】
図６は、図４のステップＳ１０６における電子ペーパーの画像読取処理の詳細を示すフローチャートである。本処理では、２ページ分の画像を有する画像ファイルが格納された電子ペーパーから固定読取りモードでの画像読み取りが行われるものとする。
【００４４】
図７は、図６の処理における原稿台ガラス２０５上の電子ペーパーに対する画像読取方法を説明するための概略図である。原稿台ガラス２０５に電子ペーパーを載置する方法については、ユーザーが行っても、ＡＤＦ１００が行ってもどちらでもよい。原稿台ガラス２０５上の電子ペーパーは、その一端が図示の読取基準位置に沿って載置されているものとする。
【００４５】
図６において、電子ペーパーの画像読取処理が開始されると、ＣＰＵ２１０は、ページ数Ｎに１ページ目を示す「１」をセットする（ステップＳ３０１）。つづいて、ＣＰＵ２１０は、ページ切替部２０３により原稿台ガラス２０５上の電子ペーパーと通信を行い、Ｎページ目の画像表示を指示する（ステップＳ３０２）。
【００４６】
次に、ＣＰＵ２１０は、電子ペーパーの画像表示の完了を待って（ステップＳ３０３でＹＥＳ）、スキャナユニット２０６を図７の走査方向に走査するように駆動制御してＮページ目の画像を読み取らせる（ステップＳ３０４）。読み取りが完了すると（ステップＳ３０５でＹＥＳ）、ＣＰＵ２１０は、スキャナユニット２０６を読取基準位置に移動するように駆動制御すると共に、ページ数Ｎに１を加える（ステップＳ３０６）。
【００４７】
次に、ＣＰＵ２１０は、続けて読み取るページがあるか否かを判定し（ステップＳ３０６）、続けて読み取るページがある場合には、Ｎページ目の画像表示を電子ペーパーに指示して（ステップＳ３０２）、ステップＳ３０３以降の処理を繰り返す。ステップＳ３０６において、続けて読み取るページがない場合（ステップＳ３０６でＮＯ）には本処理を終了する。ユーザーによって原稿台ガラス２０５上に電子ペーパーがセットされた場合にはそのまま終了する。一方、ＡＤＦ１００を使用して原稿台ガラス２０５に電子ペーパーがセットされた場合には、電子ペーパーを排紙トレイ２３０へ搬送して終了する。
【００４８】
上記第１の実施形態によれば、電子ペーパーから固定読取モードで複数ページの画像を読み取る際に、ページ切替部２０３によりＮページ目の画像を電子ペーパーに表示させ、スキャナユニット２０６が走査して画像の読み取りを行う。その後、ページ切替部２０３によりＮ＋１ページの画像を電子ペーパーに表示させ、スキャナユニット２０６が走査して画像の読み取りを行い、これらをページ数分繰り返す。これにより、電子ペーパーに格納された複数ページにわたる画像を原稿固定読み方式で読み取る場合であっても、ページ毎に電子ペーパーをセットし直す必要がなく、自動で複数ページの画像を読み取ることができる。
【００４９】
［第２の実施形態］
本発明の第２の実施形態に係る画像読取装置は、その構成（図１〜図３）及び電子ペーパー判別処理（図４、図５）が上記第１の実施の形態に係る画像読取装置と同じであり、第１の実施の形態と同様の部分については、同一の符号を用いてその説明を省略する。以下に、上記第１の実施の形態と異なる点のみを説明する。
【００５０】
次に、本発明を適用した複数ページ格納された電子ペーパーをイメージリーダ２００で読み取りを行う別の実施形態について詳しく説明する。
【００５１】
図８は、本発明の第２の実施形態に係る画像読取装置で実行される電子ペーパーの画像読取処理の詳細を示すフローチャートである。本処理では、２ページの画像を有する画像ファイルが格納された電子ペーパーから固定読取りモードでの画像読み取りが行われるものとする。また、本処理は図４のステップＳ１０６で実行されるものとする。
【００５２】
図９は、図８の処理における原稿台ガラス２０５上の電子ペーパーに対する画像読取方法を説明するための概略図である。原稿台ガラス２０５に電子ペーパーを載置する方法については、ユーザーが行っても、ＡＤＦ１００が行ってもどちらでもよい。原稿台ガラス２０５上の電子ペーパーは、その一端が図示の読取基準位置Ａに沿って載置されているものとする。
【００５３】
図８において、電子ペーパーの画像読取処理が開始されると、ＣＰＵ２１０は、ページ数Ｎに１ページ目を示す「１」をセットする（ステップＳ４０１）。つづいて、ＣＰＵ２１０は、ページ切替部２０３により原稿台ガラス２０５上の電子ペーパーと通信を行い、Ｎページ目の画像の通常表示を指示する（ステップＳ４０２）。
【００５４】
次に、ＣＰＵ２１０は、電子ペーパーの画像表示の完了を待って（ステップＳ４０３でＹＥＳ）、ページ数Ｎが奇数か否かを判定する（ステップＳ４０４）。奇数と判定した場合、ＣＰＵ２０１は、読取基準位置Ａで待機しているスキャナユニット２０６を図９の走査方向Ａに走査するように駆動制御し、Ｎページ目（奇数ページ目）の画像を読み取らせる（ステップＳ４０５）。走査方向Ａは、いわゆる通常スキャン時の走査方向である。読取基準位置Ａを電子ペーパーの先端、読取基準位置Ｂを電子ペーパーの後端とすると、スキャナユニット２０６は電子ペーパーの先端から後端まで移動して走査を行う。画像の読み取りが完了すると（ステップＳ４０７でＹＥＳ）、ＣＰＵ２０１は、ページ数Ｎに１を加える（ステップＳ４０８）。なお、読み取りが完了した場合、ＣＰＵ２１０は、スキャナユニット２０６を読取基準位置Ｂで停止するように制御する。
【００５５】
次に、ＣＰＵ２１０は、続けて読み取るページがあるか否かを判定し（ステップＳ４０９）、続けて読み取るページがある場合には、ステップＳ４０２に戻って、Ｎページ目の画像の通常表示を電子ペーパーに指示する（ステップＳ４０２）。つづいて、ＣＰＵ２１０は、電子ペーパーの画像表示の完了を待って（ステップＳ４０３でＹＥＳ）、ページ数Ｎが奇数か否かを判定する（ステップＳ４０４）。
【００５６】
ステップＳ４０４の判定の結果、ページ数Ｎが奇数でないと判定した場合、ステップＳ４０６へ進む。ステップＳ４０６では、ＣＰＵ２１０は、読取基準位置Ｂで待機しているスキャナユニット２０６を図９の走査方向Ｂに走査するように駆動制御し、Ｎページ目（偶数ページ目）の画像を読み取らせる。走査方向Ｂは、いわゆるバックスキャン時の走査方向である。上述したように、読取基準位置Ａを電子ペーパーの先端、読取基準位置Ｂを電子ペーパーの後端とすると、スキャナユニット２０６は電子ペーパーの後端から先端まで移動して走査を行う。読み取りが完了すると（ステップＳ４０７でＹＥＳ）、ＣＰＵ２１０は、ページ数Ｎに１を加える（ステップＳ４０８）。なお、読み取りが完了した場合、ＣＰＵ２１０は、スキャナユニット２０６を読取基準位置Ａで停止するように制御する。
【００５７】
次に、ＣＰＵ２１０は、続けて読み取るページがあるか否かを判定し（ステップＳ４０９）、続けて読み取るページがない場合には、本処理を終了する。ユーザーによって原稿台ガラス２０５上に電子ペーパーがセットされた場合にはそのまま終了する。一方、ＡＤＦ１００を使用して原稿台ガラス２０５に電子ペーパーがセットされた場合には、電子ペーパーを排紙トレイ２３０へ搬送して終了する。
【００５８】
上記第２の実施形態によれば、電子ペーパーに格納された画像のページ数Ｎをカウントし、Ｎが奇数のときは、スキャナユニット２０６を電子ペーパーの先端から後端まで移動して走査する（通常スキャン）ことにより画像を読み取る。一方、Ｎが奇数でないときは、スキャナユニット２０６を電子ペーパーの後端から先端まで移動して走査する（バックスキャン）ことにより画像を読み取る。このように、バックスキャンを活用することでスキャナユニットの無駄な動作を省略し、効率よく画像読み取りを行うことができる。
【００５９】
上記実施形態では、奇数ページでは電子ペーパーの先端側（読取基準位置Ａ）から画像が読み取られ、偶数ページでは後端側（読取基準位置Ｂ）から画像が読み取られることから、画像の向きを変更するように画像処理を行う必要がある。この画像処理は、ＣＰＵ２１０が実行しても画像信号制御部４０５が実行してもよい。
【００６０】
［第３の実施形態］
本発明の第３の実施形態に係る画像読取装置は、その構成（図１〜図３）及び電子ペーパー判別処理（図４、図５）が上記第１の実施の形態に係る画像読取装置と同じであり、第１の実施の形態と同様の部分については、同一の符号を用いてその説明を省略する。以下に、上記第１の実施の形態と異なる点のみを説明する。
【００６１】
図１０は、本発明の第３の実施形態に係る画像読取装置で実行される電子ペーパーの画像読取処理の詳細を示すフローチャートである。本処理では、２ページの画像を有する画像ファイルが格納された電子ペーパーから固定読取りモードでの画像読み取りが行われるものとする。また、本処理は図４のステップＳ１０６で実行されるものとする。
【００６２】
図１１は、図１０の処理における原稿台ガラス２０５上の電子ペーパーに対する画像読取方法を説明するための概略図であり、（ａ）は奇数ページの画像を読み取る場合、（ｂ）は偶数ページの画像を読み取る場合を示す。原稿台ガラス２０５に電子ペーパーを載置する方法については、ユーザーが行っても、ＡＤＦ１００が行ってもどちらでもよい。原稿台ガラス２０５上の電子ペーパーは、その一端が図１１（ａ）の読取基準位置Ａに沿って載置されているものとする。
【００６３】
図１０において、電子ペーパーの画像読取処理が開始されると、ＣＰＵ２１０は、ページ数Ｎに１ページ目を示す「１」をセットする（ステップＳ５０１）。つづいて、ＣＰＵ２１０は、ページ数Ｎが奇数か否かを判定する（ステップＳ５０２）。奇数と判定した場合、ＣＰＵ２１０は、ページ切替部２０３により原稿台ガラス２０５上の電子ペーパーと通信を行い、Ｎページ目の画像を通常表示するように電子ペーパーに指示する（ステップＳ５０３）。
【００６４】
次に、ＣＰＵ２１０は、電子ペーパーの画像表示の完了を待って（ステップＳ５０４でＹＥＳ）、ステップＳ５０５へ進む。ステップＳ５０５では、ＣＰＵ２１０は、スキャナユニット２０６を図１１（ａ）の読取基準位置Ａから走査方向Ａに走査するように駆動制御し、Ｎページ（奇数ページ）目の画像を読み取らせる。走査方向Ａは、いわゆる通常スキャン時の走査方向である。読取基準位置Ａを電子ペーパーの先端、読取基準位置Ｂを電子ペーパーの後端とすると、スキャナユニット２０６は電子ペーパーの先端から後端まで移動して走査を行う。読み取りが完了すると（ステップＳ５０６でＹＥＳ）、ＣＰＵ２１０は、ページ数Ｎに１を加える（ステップＳ５０７）。なお、読み取りが完了した場合、ＣＰＵ２１０は、スキャナユニット２０６を読取基準位置Ｂで停止するように制御する。
【００６５】
次に、ＣＰＵ２１０は、続けて読み取るページがあるか否かを判定し（ステップＳ５０８）、続けて読み取るページがある場合には、ステップＳ５０２に戻って、ページ数Ｎが奇数か否かを判定する（ステップＳ５０２）。この判定の結果、奇数でないと判定した場合、ＣＰＵ２１０は、ページ切替部２０３により原稿台ガラス２０５上の電子ペーパーと通信を行い、Ｎページ目の画像を鏡像画像で表示するように電子ペーパーに指示する（ステップＳ５０９）。
【００６６】
次に、ＣＰＵ２１０は、電子ペーパーの画像表示の完了を待って（ステップＳ５１０でＹＥＳ）、ステップＳ５１１へ進む。ステップＳ５１１では、ＣＰＵ２１０は、図１１（ｂ）の読取基準位置Ｂで待機しているスキャナユニット２０６を走査方向Ｂに走査するように駆動制御し、Ｎページ（偶数ページ）目の画像を読み取らせる。走査方向Ｂは、いわゆるバックスキャン時の走査方向である。上述したように、読取基準位置Ａを電子ペーパーの先端、読取基準位置Ｂを電子ペーパーの後端とすると、スキャナユニット２０６は電子ペーパーの後端から先端まで移動して走査を行う。読み取りが完了すると（ステップＳ５０６でＹＥＳ）、ＣＰＵ２１０は、ページ数Ｎに１を加える（ステップＳ５０７）。なお、読み取りが完了した場合、ＣＰＵ２１０は、スキャナユニット２０６を読取基準位置Ａで停止するように制御する。
【００６７】
次に、ＣＰＵ２１０は、続けて読み取るページがあるか否かを判定し（ステップＳ５０８）、続けて読み取るページがない場合には、本処理を終了する。ユーザーによって原稿台ガラス２０５上に電子ペーパーがセットされた場合にはそのまま終了する。一方、ＡＤＦ１００を使用して原稿台ガラス２０５に電子ペーパーがセットされた場合には、電子ペーパーを排紙トレイ２３０へ搬送して終了する。
【００６８】
上記第３の実施形態によれば、電子ペーパーに格納された画像のページ数Ｎをカウントし、Ｎが奇数のときは、電子ペーパーに奇数ページの画像を通常表示するように制御する。一方、Ｎが奇数でないときは、電子ペーパーに偶数ページの画像を鏡像表示するように制御する。これにより、電子ペーパーから読み取った画像が、ページの奇数、偶数に関わらず、通常スキャン時に読み取った画像と同じ向きになるので、画像の向きを変更するための画像処理を行う必要がなくなる。その結果、効率よく画像読み取りを行うことが可能となる。
【００６９】
なお、画像ファイルの何ページ目が電子ペーパーに表示されるかを判定し、奇数ページ目が表示されると判定されたときは、電子ペーパーに奇数ページ目の画像を通常表示するように制御してもよい。さらに、奇数ページ目でないと判定されたときは、電子ペーパーに偶数ページ目の画像を鏡像表示するように制御してもよい。
【００７０】
上記第１〜第３の実施形態における読取基準位置については、例えば、電子ペーパーから取得したサイズ情報に基づいてＣＰＵ２１０が設定するように構成してもよい。また、画像読み取り時の走査結果に応じてＣＰＵ２１０が設定するようにしてもよい。さらに、原稿トレイ１０２上の電子ペーパーをＡＤＦ１００により原稿台ガラス２０５上に搬送して固定読取りモードで画像読み取りを行う場合、ラージサイズ検知センサＳ１、スモールサイズ検知センサＳ２により電子ペーパーのサイズを検出する。その検出結果に基づいて、ＣＰＵ２１０が読取基準位置を設定するように構成してもよい。
【００７１】
上記第１〜第３の実施形態を互いに組み合わせることでも本発明の効果が達成されることは云うまでもない。例えば、第１と第２の実施形態と組み合わせた場合、電子ペーパーの表示画像の向きが変更可能か否かに応じて、図６の処理または図８の処理を実行するように構成してもよい。また、第１と第３の実施形態を組み合わせた場合、電子ペーパーの鏡像表示が可能か否かに応じて、図６の処理または図１０の処理を実行するように構成してもよい。
【００７２】
上記第１〜第３の実施の形態では、スキャナ装置等の画像読取装置について説明したが、印刷機能を備える画像形成装置や複合機等に適用してもよいことは云うまでもない。
【００７３】
また、本発明の各工程は、ネットワーク又は各種記憶媒体を介して取得したソフトウエア（プログラム）を画像読取装置や画像形成装置等の処理装置（ＣＰＵ、プロセッサ）にて実行することでも実現できる。
【符号の説明】
【００７４】
１００  原稿搬送装置（ＡＤＦ）
１０１，２０２  電子ペーパー検出部
２００  イメージリーダ
２０３  ページ切替部
２０５  原稿台ガラス
２０６  スキャナユニット
２１０  ＣＰＵ
４００  ＣＰＵ回路部
４０１  ＣＰＵ
４０２  ＲＯＭ
４０３  ＲＡＭ
８００  操作部
【図１】
2010251834.tif 000003
【図２】
2010251834.tif 000004
【図３】
2010251834.tif 000005
【図４】
2010251834.tif 000006
【図５】
2010251834.tif 000007
【図６】
2010251834.tif 000008
【図７】
2010251834.tif 000009
【図８】
2010251834.tif 000010
【図９】
2010251834.tif 000011
【図１０】
2010251834.tif 000012
【図１１】
2010251834.tif 000013